Podtech/llm-jp-corpus-v4-ja_patent huggingface dataset:
【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
原稿面に形成された像をレンズとミラー群を介して感光ドラム面に結像させ、前記ミラー群に含まれる可動ミラーと前記レンズとを変位させることによって前記原稿面と前記感光ドラム面との間の光路長を変化させ、前記感光ドラム面に投影された前記像の倍率を変化させる複写機の変倍光学装置であって、
前記変倍光学装置のシャーシに、前記可動ミラーが取り付けられた支持部材が変位自在に設けられるとともに、前記支持部材が当接した状態において前記可動ミラーの長手方向と前記レンズの光軸とが垂直になるように成形された当付面が設けられることを特徴とする複写機の変倍光学装置。
【請求項２】
前記当付面が、前記可動ミラーが通常の複写動作において変位可能な範囲から外れた部位に形成されることを特徴とする請求項１に記載の変倍光学装置。
【請求項３】
前記当付面が２個所に形成され、これらの当付面を結んだ直線が前記レンズの光軸に垂直であることを特徴とする請求項１に記載の変倍光学装置。
【請求項４】
前記シャーシを複写機の本体に固定するための一対の穴が前記シャーシに穿設され、これらの穴を結んだ直線と前記２個所の当付面を結んだ直線が平行であることを特徴とする請求項３に記載の変倍光学装置。
【手続補正２】
【補正対象書類名】明細書
【補正対象項目名】０００５
【補正方法】変更
【補正の内容】
【０００５】
【課題を解決するための手段】
本発明に係る複写機の変倍光学装置は、変倍光学装置のシャーシに、可動ミラーが取り付けられた支持部材が変位自在に設けられるとともに、支持部材が当接した状態において可動ミラーの長手方向と前記レンズの光軸とが垂直になるように成形された当付面が設けられることを特徴としている。


【手続補正３】
【補正対象書類名】明細書
【補正対象項目名】００１３
【補正方法】変更
【補正の内容】
【００１３】
レンズ移動ユニット２２の駆動機構３１は、シャーシ２１の下面であってガイドロッド２４側に取り付けられたパルスモータ３２を有している。パルスモータ３２の回転軸３３は、シャーシ２１を貫通してその上面に突出し、レンズ移動ユニット２２の下面の近傍まで延びている。回転軸３３の先端にはギヤ３４が固定され、このギヤ３４は、シャーシ２１の上面に回転自在に設けられた駆動プーリ３５の外周歯３５ａに噛合している。一方、第１のガイドロッド２４の両端部には、従動プーリ３６、３７がそれぞれ回転自在に軸支されている。これらの従動プーリ３６、３７と駆動プーリ３５にはワイヤ３８が巻回され、ワイヤ３８は摺動筒２３に連結されている。
【手続補正書】
【提出日】平成15年10月7日(2003.10.7)
【手続補正１】
【補正対象書類名】明細書
【補正対象項目名】請求項１
【補正方法】変更
【補正の内容】
【請求項１】
デジタル画像を構成する画素から修正の必要な異常画素を検出する画像処理方法であって、
前記デジタル画像から異常画素の特徴量に基づいて異常画素の候補を検出し、該検出された異常画素の候補のうちの低周波部分に該当する画素又は大きい部分を、前記修正の必要な異常画素として検出することを特徴とする画像処理方法。
【手続補正２】
【補正対象書類名】明細書
【補正対象項目名】０００６
【補正方法】変更
【補正の内容】
【０００６】
【課題を解決するための手段】
そのため請求項１又は14記載の発明では、デジタル画像から異常画素の特徴量に基づいて異常画素の候補を検出し、この異常画素の候補のうちの低周波部分に該当する画素又は大きい部分を、修正の必要な異常画素として検出する構成とした。
かかる構成によると、異常画素の候補とされ、かつ、低周波部分に該当する画素又は大きい部分が、最終的に、修正が必要な異常画素として検出される。
【手続補正書】
【提出日】平成15年10月1日(2003.10.1)
【手続補正１】
【補正対象書類名】明細書
【補正対象項目名】特許請求の範囲
【補正方法】変更
【補正の内容】
【特許請求の範囲】
【請求項１】
冷媒圧縮用の圧縮機，冷暖房運転状態を切り換える四方弁，室外熱交換器，膨張弁及び室内熱交換器を接続配管によって環状に接続した冷凍サイクルと、交流を直流に変換する整流器と、該直流を可変に制御する手段と、該直流を入力して該圧縮機を駆動する電動機の回転数を可変に制御するインバータとを有する圧縮機用電動機駆動装置とを備えた空気調和機において、
該室内熱交換器よりも風上側であって室内空気の吸込口側に配置され、暖房運転時、過冷却用となる補助熱交換器を設けたことを特徴とする空気調和機。
【手続補正２】
【補正対象書類名】明細書
【補正対象項目名】００３１
【補正方法】変更
【補正の内容】
【００３１】
【課題を解決するための手段】
上記目的を達成するために、本発明は、冷媒圧縮用の圧縮機，冷暖房運転状態を切り換える四方弁，室外熱交換器，膨張弁及び室内熱交換器を接続配管によって環状に接続した冷凍サイクルと、交流を直流に変換する整流器と、該直流を可変に制御する手段と、該直流を入力して該圧縮機を駆動する電動機の回転数を可変に制御するインバータとを有する圧縮機用電動機駆動装置とを備えた空気調和機において、該室内熱交換器よりも風上側であって室内空気の吸込口側に配置され、暖房運転時、過冷却用となる補助熱交換器を設けたものである。
【手続補正３】
【補正対象書類名】明細書
【補正対象項目名】００３２
【補正方法】削除
【補正の内容】
【手続補正４】
【補正対象書類名】明細書
【補正対象項目名】００３３
【補正方法】削除
【補正の内容】
【手続補正５】
【補正対象書類名】明細書
【補正対象項目名】０１６０
【補正方法】変更
【補正の内容】
【０１６０】
【発明の効果】
以上説明したように、本発明の空気調和機によれば、暖房運転時に加熱器としての室内熱交換器の下流側に室内補助熱交換器を設けたサイクル構成で、該室内補助熱交換器を室内熱交換器よりも風上側で室内空気の吸込口側に配置したものであるから、特に暖房運転では、室内補助熱交換器を過冷却器として有効に使用することができ、凝縮圧力を低く抑えて性能が向上すると共に省電力化を図ることができる。


【手続補正６】
【補正対象書類名】明細書
【補正対象項目名】０１６１
【補正方法】削除
【補正の内容】
【手続補正７】
【補正対象書類名】明細書
【補正対象項目名】０１６２
【補正方法】削除
【補正の内容】
【手続補正書】
【提出日】平成15年8月19日(2003.8.19)
【手続補正１】
【補正対象書類名】明細書
【補正対象項目名】特許請求の範囲
【補正方法】変更
【補正の内容】
【特許請求の範囲】
【請求項１】
外箱と内箱の間に断熱材を挿入してなる断熱箱体と、圧縮機、凝縮器、減圧装置、蒸発器の構成要素を配管で接続し、可燃性冷媒を含む混合冷媒あるいは単一成分からなる可燃性冷媒を封入してなる冷凍サイクルを設置した冷蔵庫において、前記蒸発器の伝熱管を多層構造とすることを特徴とする冷蔵庫。
【請求項２】
前記伝熱管と前記伝熱管と接続された配管との接続部が断熱材内部もしくは冷蔵庫外部に設けられたことを特徴とする請求項１に記載の冷蔵庫。
【請求項３】
外箱と内箱の間に断熱材を挿入してなる断熱箱体と、圧縮機、凝縮器、減圧装置、蒸発器の構成要素を配管で接続し、可燃性冷媒を含む混合冷媒あるいは単一成分からなる可燃性冷媒を封入してなる冷凍サイクルを設置した冷蔵庫において、
断熱材内部に設置した配管と、前記蒸発器の伝熱管と前記配管との接続部と
を有機材からなる管で覆ったことを特徴とする冷蔵庫。
【請求項４】
該有機材からなる管はその端面が冷蔵庫外部と連通するように設けたことを特徴とする請求項３に記載の冷蔵庫。
【手続補正２】
【補正対象書類名】明細書
【補正対象項目名】０００５
【補正方法】変更
【補正の内容】
【０００５】
【課題を解決するための手段】
上記目的は、外箱と内箱の間に断熱材を挿入してなる断熱箱体と、圧縮機、凝縮器、減圧装置、蒸発器の構成要素を配管で接続し、可燃性冷媒を含む混合冷媒あるいは単一成分からなる可燃性冷媒を封入してなる冷凍サイクルを設置した冷蔵庫において、前記蒸発器の伝熱管を多層構造とすることにより達成される。
また、前記伝熱管と前記伝熱管と接続された配管との接続部が断熱材内部もしくは冷蔵庫外部に設けられたことを特徴とする。
【手続補正３】
【補正対象書類名】明細書
【補正対象項目名】０００６
【補正方法】変更
【補正の内容】
【０００６】
上記目的はまた、外箱と内箱の間に断熱材を挿入してなる断熱箱体と、圧縮機、凝縮器、減圧装置、蒸発器の構成要素を配管で接続し、可燃性冷媒を含む混合冷媒あるいは単一成分からなる可燃性冷媒を封入してなる冷凍サイクルを設置した冷蔵庫において、断熱材内部に設置した配管と、前記蒸発器の伝熱管と前記配管との接続部とを有機材からなる管で覆ったことによって達成される。
また、該有機材からなる管はその端面が冷蔵庫外部と連通するように設けたことを特徴とする。
【手続補正４】
【補正対象書類名】明細書
【補正対象項目名】００１７
【補正方法】変更
【補正の内容】
【００１７】
さらに、本実施の形態では可燃性冷媒としてプロパンとイソブタンの混合冷媒を例に取り説明したが、プロパン単一冷媒あるいはＨＦＣ−１５２ａのような可燃性冷媒であれば同様の効果を得る。
本実施形態によれば、蒸発器の伝熱管を複数の金属で構成された多層構造とするとともに、蒸発器と配管の接続部を断熱材内部もしくは冷蔵庫外部に設けることにより、冷蔵庫内部への冷媒漏れを防止できる。さらに、断熱材内部に設置した配管を有機材からなる管で覆い、管の端面と冷蔵庫外部が連通するように設けることにより、断熱材内部への冷媒漏れを防止でき、その結果、冷蔵庫内部への冷媒漏れを防止できる。
【手続補正５】
【補正対象書類名】明細書
【補正対象項目名】００１８
【補正方法】変更
【補正の内容】
【００１８】
【発明の効果】
本発明によれば、可燃性冷媒を用いた冷蔵庫で、爆発の危険性を回避できる冷蔵庫を提供することができる。
【手続補正書】
【提出日】平成15年9月17日(2003.9.17)
【手続補正１】
【補正対象書類名】明細書
【補正対象項目名】特許請求の範囲
【補正方法】変更
【補正の内容】
【特許請求の範囲】
【請求項１】
ガラス板の欠点を検出する検出装置であって、
ガラス板を成形時の引き出し方向に略平行に搬送する搬送手段と、
複数の帯状光源からなりその帯の長手方向がガラス板の成形時の引き出し方向と２０度以下の角度をなす光源部と、
ガラス板を挟んで光源部と反対側に配置されガラス板の位置又はその近傍に焦点を合わせてなる撮像装置と、
前記撮像装置からの信号を受けて画像処理する画像処理装置とを備え、
前記複数の帯状光源の帯幅、及び互いの間隔が５〜５０ｍｍの範囲に設定されていることを特徴とするガラス板の欠点検出装置。
【請求項２】
帯状光源の帯の長手方向とガラス板の成形時の引き出し方向とが実質的に平行である請求項１記載のガラス板の欠点検出装置。
【請求項３】
帯状光源の帯の長手方向とガラス板の成形時の引き出し方向とが５〜２０度の角度をなす請求項１記載のガラス板の欠点検出装置。
【請求項４】
ガラス板がガラス板成形装置から引き出されたガラスリボンである請求項１、２又は３のいずれかに記載のガラス板の欠点検出装置。
【請求項５】
ガラス板の欠点を検出する検出方法であって、
ガラス板を成形時の引き出し方向に略平行に搬送する搬送手段と、
複数の帯状光源からなりその帯の長手方向がガラス板の成形時の引き出し方向と２０度以下の角度をなす光源部と、
ガラス板を挟んで光源部と反対側に配置されガラス板の位置又はその近傍に焦点を合わせてなる撮像装置と、
前記撮像装置からの信号を受けて画像処理する画像処理装置とを備え、
前記複数の帯状光源の帯幅、及び互いの間隔が５〜５０ｍｍの範囲に設定することを特徴とするガラス板の欠点検出方法。
【手続補正２】
【補正対象書類名】明細書
【補正対象項目名】０００７
【補正方法】変更
【補正の内容】
【０００７】
【課題を解決するための手段】
本発明は、ガラス板の欠点を検出する検出装置であって、ガラス板を成形時の引き出し方向に略平行に搬送する搬送手段と、複数の帯状光源からなりその帯の長手方向がガラス板の成形時の引き出し方向と２０度以下の角度をなす光源部と、ガラス板を挟んで光源部と反対側に配置されガラス板の位置又はその近傍に焦点を合わせてなる撮像装置と、前記撮像装置からの信号を受けて画像処理する画像処理装置とを備え、前記複数の帯状光源の帯幅、及び互いの間隔が５〜５０ｍｍの範囲に設定されていることを特徴とするガラス板の欠点検出装置を提供する。


【手続補正３】
【補正対象書類名】明細書
【補正対象項目名】００１２
【補正方法】変更
【補正の内容】
【００１２】
光源ボックス１からの光はスリット板２を介して、ガラスリボン（ガラス板）４に投写される。この際に、ガラスリボン４にスレッドライン欠点１１があると、光の進路がわずかに偏向する。したがって、光源と反対側からガラスリボンを見ると、スレッドライン欠点は背景と異なる明るさの線として認識される。


【手続補正４】
【補正対象書類名】明細書
【補正対象項目名】００１６
【補正方法】変更
【補正の内容】
【００１６】
２次元ＣＣＤカメラ５の焦点は、ガラスリボン４の位置又はその近傍に合わせる。カメラの焦点がガラスリボンの位置から大きくはずれると、スレッドライン欠点の検出が困難になる。


【手続補正５】
【補正対象書類名】明細書
【補正対象項目名】００２３
【補正方法】変更
【補正の内容】
【００２３】
次いで幅方向にヒストグラム処理を行う。すなわち、ガラス板の搬送方向の所定の数の画素について上記の２値化後の信号を積算し、積算値の幅方向の分布を求める。スレッドライン欠点は、ガラス板の搬送方向に沿って現れるので、上記積算処理により、欠点信号がさらに強調される。


【手続補正６】
【補正対象書類名】明細書
【補正対象項目名】００２７
【補正方法】変更
【補正の内容】
【００２７】
本実施形態においては、ガラス板としてガラスリボンを用いたが、所定形状に切断されたガラス板の検査にも本発明は適用できる。この場合は、ガラス板の成形時の引き出し方向と、ガラス板の搬送方向とを一致させる必要がある。前述のようにスレッドライン欠点は、ガラス板の成形時の引き出し方向に沿って発生するためである。


【手続補正７】
【補正対象書類名】明細書
【補正対象項目名】００２９
【補正方法】変更
【補正の内容】
【００２９】
図６は、このような場合のスリット板２の態様を示す平面図である。この態様では、ガラス板の搬送方向と帯状光源の帯の長手方向とは完全に平行ではなく、若干の角度をなしている。こうすると、ヒストグラム処理を行う際に背景輝度の変動を抑え、画像処理をより単純化できる場合がある。具体的には、ガラス板の搬送方向と帯状光源の帯の長手方向とが５〜２０度の角度をなすようにすればよい。


【手続補正８】
【補正対象書類名】明細書
【補正対象項目名】００３１
【補正方法】変更
【補正の内容】
【００３１】
また、帯状光源の帯の長手方向とガラス板の成形時の引き出し方向とのなす角を２０度以下とすることにより、スレッドライン欠点検出の感度を高めうる。この角度が、ほぼ平行であると、特にスレッドライン欠点検出の感度が高まる。一方、ガラス板の搬送方向と帯状光源の帯の長手方向とが５〜２０度の角度をなすようすると、画像処理を単純化できる。
【手続補正書】
【提出日】平成15年9月30日(2003.9.30)
【手続補正１】
【補正対象書類名】明細書
【補正対象項目名】００７１
【補正方法】変更
【補正の内容】
【００７１】
本例の係合部９２は開口部９２ｊを有しており、この開口部９２ｊは、前記切欠端部９２ｉにおいて、両側にそれぞれ幅Ｘを残して、孔係合部９１の径よりも若干小さめの幅Ａ及び孔係合部９１の径よりも若干小さめの奥行きＢの大きさで形成されている。


【手続補正２】
【補正対象書類名】明細書
【補正対象項目名】００８０
【補正方法】変更
【補正の内容】
【００８０】
そして板ばね９９の端部９９ａを係合部９２におけるねじ９２ｋでねじ止めし、本体を溝９８ｄ内に沿って配設する。このとき、端部９９ｃは中空部９８側へ向くように配設される。


【手続補正３】
【補正対象書類名】明細書
【補正対象項目名】００８４
【補正方法】変更
【補正の内容】
【００８４】
図１４は、ターゲット板９４ａの図１３におけるＳ視図である。図１４に示すように、水平支軸９７，９７の長尺方向の中心線、即ち前記二つのねじ９２ｋの中心を結んだ線は、ターゲット板９４ａの孔中心対応指標９５を形成する側の面と一致するように形成されている。


【手続補正４】
【補正対象書類名】図面
【補正対象項目名】図１６
【補正方法】変更
【補正の内容】
【図１６】
1998111131.tif 000001
【手続補正書】
【提出日】平成15年9月30日(2003.9.30)
【手続補正１】
【補正対象書類名】明細書
【補正対象項目名】００６１
【補正方法】変更
【補正の内容】
【００６１】
次に、橋梁部材２０の孔２１に中心座標測定用ターゲット１０を配置させて、測距測角儀３０によりこの中心座標測定用ターゲット１０の再帰反射面１６を視準し、孔２１中心における三次元座標値を求めることにより橋梁部材２０の測定データを作成する。
【手続補正書】
【提出日】平成16年1月27日(2004.1.27)
【手続補正１】
【補正対象書類名】明細書
【補正対象項目名】特許請求の範囲
【補正方法】変更
【補正の内容】
【特許請求の範囲】
【請求項１】
レーザ光を患者眼に照射することにより治療を行うレーザ治療装置において、患者眼を観察するための観察光学系と、治療レーザ光源からのレーザ光を導光して患者眼に照射するレーザ照射光学系と、患者眼に対して前記観察光学系及びレーザ照射光学系を相対移動させるためのジョイスティックと、該ジョイスティックまたはその近傍に設けられたレーザ照射条件変更用の操作部材を持つ条件設定部と、該条件設定部によって設定された設定情報を、前記観察光学系で観察される視野内への表示または音声の発生により報知する報知手段と、前記操作部材の操作によるレーザ照射条件の変更にロックをかけるロック手段と、を備えることを特徴とするレーザ治療装置。
【請求項２】
請求項１のレーザ治療装置において、前記ロック手段はレーザ照射条件の変更にロックをかけるか否かを選択する選択手段と、該選択手段によりロックをかけることが選択されたときに、前記操作部材によって出力される操作信号を無効にする信号無効手段と、を備えることを特徴とするレーザ治療装置。
【請求項３】
請求項１のレーザ治療装置において、さらにレーザ光を患者眼に照射するためのトリガ信号を入力するトリガ手段と、前記ロック手段によってレーザ照射条件の変更にロックが掛かっていない場合に前記トリガ信号の入力に対してレーザ光の照射を制限する制限手段と、を設けたことを特徴とするレーザ治療装置。
【請求項４】
請求項１のレーザ治療装置において、前記操作部材はジョイスティックの軸回りに回転可能な回転部材であって、複数個設けられるとともに各回転部材の外形状が異なる回転部材であり、前記条件設定部は前記各回転部材の回転を検知する検知手段を有し、該検知手段からの出力信号によってレーザ照射条件が変更される構成としたことを特徴とするレーザ治療装置。
【請求項５】
レーザ光を患者眼に照射することにより治療を行うレーザ治療装置において、患者眼を観察するための観察光学系と、治療レーザ光源からのレーザ光を導光して患者眼に照射するレーザ照射光学系と、患者眼に対して前記観察光学系及びレーザ照射光学系を相対移動させるためのジョイスティックと、該ジョイスティックまたはその近傍に設けられたレーザ照射条件変更用の操作部材であって、複数のレーザ照射条件を変更するためにそれぞれ外形状が異なる操作部材を持つ条件設定部と、該条件設定部によって設定された設定情報を前記観察光学系で観察される視野内への表示または音声の発生により報知する報知手段と、備えることを特徴とするレーザ治療装置。
【手続補正２】
【補正対象書類名】明細書
【補正対象項目名】０００７
【補正方法】変更
【補正の内容】
【０００７】
（１）  レーザ光を患者眼に照射することにより治療を行うレーザ治療装置において、患者眼を観察するための観察光学系と、治療レーザ光源からのレーザ光を導光して患者眼に照射するレーザ照射光学系と、患者眼に対して前記観察光学系及びレーザ照射光学系を相対移動させるためのジョイスティックと、該ジョイスティックまたはその近傍に設けられたレーザ照射条件変更用の操作部材を持つ条件設定部と、該条件設定部によって設定された設定情報を、前記観察光学系で観察される視野内への表示または音声の発生により報知する報知手段と、前記操作部材の操作によるレーザ照射条件の変更にロックをかけるロック手段と、を備えることを特徴とする。
（２）  （１）のレーザ治療装置において、前記ロック手段はレーザ照射条件の変更にロックをかけるか否かを選択する選択手段と、該選択手段によりロックをかけることが選択されたときに、前記操作部材によって出力される操作信号を無効にする信号無効手段と、を備えることを特徴とする。
（３）  （１）のレーザ治療装置において、さらにレーザ光を患者眼に照射するためのトリガ信号を入力するトリガ手段と、前記ロック手段によってレーザ照射条件の変更にロックが掛かっていない場合に前記トリガ信号の入力に対してレーザ光の照射を制限する制限手段と、を設けたことを特徴とする。
（４）  （１）のレーザ治療装置において、前記操作部材はジョイスティックの軸回りに回転可能な回転部材であって、複数個設けられるとともに各回転部材の外形状が異なる回転部材であり、前記条件設定部は前記各回転部材の回転を検知する検知手段を有し、該検知手段からの出力信号によってレーザ照射条件が変更される構成としたことを特徴とする。
（５）  レーザ光を患者眼に照射することにより治療を行うレーザ治療装置において、患者眼を観察するための観察光学系と、治療レーザ光源からのレーザ光を導光して患者眼に照射するレーザ照射光学系と、患者眼に対して前記観察光学系及びレーザ照射光学系を相対移動させるためのジョイスティックと、該ジョイスティックまたはその近傍に設けられたレーザ照射条件変更用の操作部材であって、複数のレーザ照射条件を変更するためにそれぞれ外形状が異なる操作部材を持つ条件設定部と、該条件設定部によって設定された設定情報を前記観察光学系で観察される視野内への表示または音声の発生により報知する報知手段と、備えることを特徴とする。


【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
表示部において複数の識別情報を変動表示しうる可変表示装置と、遊技者の操作に応じて変化する遊技状況を検出する遊技状況検出手段と、前記遊技状況検出手段の検出結果による所定の契機の発生に基づき、前記可変表示装置の表示部において前記識別情報を変動表示を開始させるとともに、所定時間後に前記識別情報の変動表示を停止させ所定の識別情報にて確定表示させるべく、所定の様式を前記可変表示装置に出力する様式出力手段と
を備えた遊技機において、
前記可変表示装置は、前記変動表示開始後、前記確定表示の前段階に、疑似識別情報を前記表示部において表示する疑似識別情報表示制御手段と、該疑似識別情報が表示されてから前記確定表示までの間に所定の演出表示を行う演出表示制御手段とを備え、
前記所定の演出表示の期間が、前記疑似識別情報が遊技者に有利な特別遊技状態を発生させるための必要条件を満たしている場合には、満たしていない場合に比べて長く設定されており、
前記可変表示装置は、前記所定の契機の発生後、前記疑似識別情報が表示される前段階に、前記識別情報の変動表示とは別の演出表示を行う演出表示手段を有しており、前記演出表示手段は、期待感を増幅させるリーチ演出表示を行うことを特徴とする遊技機。
【手続補正書】
【提出日】平成15年12月24日(2003.12.24)
【手続補正１】
【補正対象書類名】明細書
【補正対象項目名】００２４
【補正方法】変更
【補正の内容】
【００２４】
(表示制御装置)
前記表示制御装置Mは、前記図柄表示ユニットUに関する各種電子部品が実装される表示制御基板(制御基板)４４と、該基板４４を収容する基板ケース４５とから基本的に構成される。表示制御基板４４は、図１０および図１１に示す如く、前記収容箱体２１の上面側に位置する第１基板部４６と、収容箱体２１の後面側に位置する第２基板部４７とから構成され、全体としてＬ字型を呈している。所要の回路パターンが形成された第１基板部４６には、大型であったり、重量が大きかったり、発熱あるいはノイズの発生原因となる、放熱板を有するトランスやレギュレータ等の電源部品４８やコンデンサ４９等の大型部品(電子部品)が実装される。また第１基板部４６の四隅には、後述する第１ケース体５４に突設したボス５７に対応する通孔４６aが夫々形成されている。
【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
所定の契機に基づき複数の識別情報を変動可能な表示部を備えた可変表示装置を備えた遊技機であって、前記識別情報が全て確定停止表示されているとき以外の少なくとも一時期において、前記表示部を、所定期間暗転表示可能とし、
前記所定期間のうち、少なくとも前記表示部上何らの変化もない間は、音声による演出を一切禁止するようにし、
前記表示部とは異なる部位に、消灯、点灯及び点滅の少なくとも一つの状態をとりうる発光手段を設けるとともに、前記所定期間のうち、少なくとも前記表示部上何らの変化もない間は、前記発光手段が消灯状態をとるようにしたことを特徴とする遊技機。
【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
所定の契機に基づき複数の識別情報を変動可能な表示部を備えた可変表示装置と、前記表示部とは異なる部位に設けられた複数の発光手段からなる発光手段群とを備えた遊技機であって、前記識別情報が全て確定停止表示されているとき以外の少なくとも一時期において、前記表示部を、非通電状態と同等の状態又はこれに類似した状態になるよう所定期間暗転表示するとともに、これにほぼ同期させて前記発光手段群のうち少なくとも１つの発光手段を消光状態とし、かつ、残りの発光手段の発光状態を維持するようにし、
前記所定期間経過後には、一転して前記表示部において派手な演出を行いうるようにし、前記派手な演出に際しては、前記少なくとも１つの発光手段の発光を伴った演出も併せて実行されるようにし、前記表示部に、少なくとも所定の表示対象を表示し、かつ、前記少なくとも１つの発光手段によって、前記表示対象と同一又は近似した概念を表現するようにしたことを特徴とする遊技機。
【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
メモリセルがマトリックス状に配置されたメモリセルアレイと、前記メモリセルアレイのビット線端に接続されるカラムゲートと、出力がワード線に接続されるサブワード線デコーダと、ビット線負荷及びプリチャージ回路と、前記カラムゲートに接続され、メモリの出力データ幅ｍビットと同数個配置されたセンスアンプと、により構成されたサブメモリブロックと、メインロウデコーダブロックと、前記サブメモリブロックをｎ個アレイして構成され、前記メインロウデコーダブロックを中心に対称配置された２つのメモリブロックと、を具備する半導体記憶装置において、
サブメモリブロック選択信号に応じて前記２つのメモリブロックに配置された複数のサブメモリブロックのうち１つのサブメモリブロックが選択され、
前記２つのメモリブロックに配置された前記センスアンプの出力は、ｍ本のリードバスを介してｎ個づつ共通に接続されかつｍ個の出力回路の入力に接続され、
前記ｍ本のリードバスと前記ｍ個の出力回路は前記２つのメモリブロックごとに独立に構成され、
前記ｍ個づつの出力回路の出力はｍ本のデータ出力線によって共通に接続されることを特徴とする半導体記憶装置。
【請求項２】
前記ｍ個の出力回路の出力と前記ｍ本のデータ出力線を非接続にする手段と、前記２つのメモリブロック各々に配置されたサブメモリブロックを１つづつ同時に選択するように前記サブメモリブロック選択信号を切換える手段と、を金属配線層で構成し、同一のバルクを用いてｍビット出力と２ｍビット出力の２種類の出力ビット幅メモリを構成可能としたことを特徴とする請求項１記載の半導体記憶装置。
【手続補正２】
【補正対象書類名】明細書
【補正対象項目名】０００８
【補正方法】変更
【補正の内容】
【０００８】
【発明の実施の形態】
本発明の第一の実施例を図１に示す。本実施例は前述した従来例に本発明を適用した場合であり、従来例に対応する箇所には同一符号を付けているため説明は省略し、本発明の特徴となる点を説明する。リードバスはメモリブロックＢＡ１に接続されるＤ１１からＤ１８の８本と、メモリブロックＢＡ２に接続されるＤ２１からＤ２８の８本に２分割されている。さらに、リードバスＤ１１からＤ１８はデータ幅８ビットに対応した８個の出力回路Ｃ１１からＣ１８にそれぞれ接続され、同様にリードバスＤ２１からＤ２８は８個の出力回路Ｃ２１からＣ２８に接続されていて、出力回路Ｃ１１からＣ２１の出力とＣ１８からＣ２８の出力はそれぞれ出力配線Ｆ１からＦ８で接続されている。また、出力回路Ｃ１１からＣ１８及びＣ２１からＣ２８はそれぞれＥ１，Ｅ２の制御信号によって出力が制御される。制御信号Ｅ１，Ｅ２はサブメモリブロック選択信号Ｂ１１からＢ１ｎとＢ２１からＢ２ｎにそれぞれ同期した信号で、出力をイネイブル状態もしくは高インピーダンス状態に制御する。即ち、Ｂ１１からＢ１ｎまでのサブメモリブロック選択信号のうちのどれか１本が活性化され、メモリブロックＢＡ１内のサブブロックのうちのどれか一つが選択された場合には、制御信号Ｅ１が選択されＣ１１からＣ１８までの出力回路が活性化されてイネイブル状態になる。この時、制御信号Ｅ２は非選択状態にあるので、Ｃ２１からＣ２８までの出力は高インピーダンス状態となり、データ出力線Ｆ１からＦ８にはメモリブロックＢＡ１側の８ビットのデータが出力される。本実施例では、選択出力回路をメモリブロックＢＡ１とＢＡ２に対してそれぞれ８個づつ設けているため、従来例の図５に示した様なリードバスと出力回路を接続する新たな配線Ｈ１１に相当する配線を設ける必要がない。従って、従来リードバスのＸ方向の長さがＬ１＋Ｌ２＋Ｌ３必要であったものが、Ｌ１だけで済む。ここでＣ２１からＣ２８までの出力回路を８個増設したことにより、出力配線Ｆ１からＦ８には従来に比べて出力回路１つ分のドレイン容量が付加されるが、実際の製品においてＦ１からＦ８はチップ上のデータバスとしてＣＰＵ等の他のマクロセルと接続されるため、例えばその配線負荷容量が１ｐＦ程度になるのに対して、出力回路のドレイン容量は２０ｆＦ程度と無視できるほど小さく、読み出し速度に対する影響はほとんどない。従って、リードバスを分割することにより、センスアンプのドレイン容量を半分にすることと、リードバスの配線長をほぼ半分にすることが同時に達成され、読み出し時間の高速化が実現できる。
【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
電源側端子、対向する接点、可動接点台、過電流引き外しリレー部、導体、及び、負荷側端子より構成される主回路と、前記可動接点台を動かすことにより前記主回路の接点を引き外す開閉引き外し機構部と、前記開閉引き外し機構部の開閉及び引き外しを外部より操作するための操作ハンドルとを備え、これらを本体モールドカバー及び本体モールドケース内に一体に収納してなる回路遮断器において、
前記本体モールドカバーあるいは前記本体モールドケースの一部に補助カバーを設け、該補助カバーを前記本体モールドカバーから開け、前記本体モールドカバー及び前記本体モールドケースの内部に補助装置を取り付ける
ことが可能であることを特徴とする回路遮断器。
【手続補正２】
【補正対象書類名】明細書
【補正対象項目名】０００９
【補正方法】変更
【補正の内容】
【０００９】
【課題を解決するための手段】
上記目的を達成するために、本発明によれば、電源側端子、対向する接点、可動接点台、過電流引き外しリレー部、導体、及び、負荷側端子より構成される主回路と、前記可動接点台を動かすことにより前記主回路の接点を引き外す開閉引き外し機構部と、前記開閉引き外し機構部の開閉及び引き外しを外部より操作するための操作ハンドルとを備え、これらを本体モールドカバー及び本体モールドケース内に一体に収納してなる回路遮断器において、
前記本体モールドカバーあるいは前記本体モールドケースの一部に補助カバーを設け、該補助カバーを前記本体モールドカバーから開け、前記本体モールドカバー及び前記本体モールドケースの内部に補助装置を取り付けることが可能である回路遮断器が提供されている。
【手続補正書】
【提出日】平成15年6月27日(2003.6.27)
【手続補正１】
【補正対象書類名】明細書
【補正対象項目名】符号の説明
【補正方法】変更
【補正の内容】
【符号の説明】
１…製紙スラッジ貯留槽、２…混練機、３…押出成形機、４…ロータリーキルン、５…燃焼灰貯留槽、６…ロールクラッシャー、７…燃焼灰溶解槽、８…湿式ミル、９…分級機、１０…炭化炉、１１…重油タンク、１２…熱風発生炉、３１〜４３…輸送路、５０，５１…弁、６０…ファン、７０，７１…ポンプ。
【手続補正書】
【提出日】平成15年9月15日(2003.9.15)
【手続補正１】
【補正対象書類名】明細書
【補正対象項目名】０００３
【補正方法】変更
【補正の内容】
【０００３】
他に登実第３０５１４５４号公報記載の膝サポーター付きパンティストッキングがある。これはタイツ及びパンティストッキング（１）の膝部分をゴムを織込んだ糸を用いて一体的に厚地（２）にしたことを特徴とする膝サポーター付きタイツ及びパンティストッキング。
また、特開２００２−３０５０５号公報記載にある膝サポーター装置はズボン下（１）の表側膝部（１ａ）に絡号テープ（２）を縫着し、他方、伸縮筒状サポーター（３）の裏側上部に前記絡合テープ（２）の対応絡合テープ（４）を縫着し、着用したズボン下（１）の表側から伸縮筒状サポーター（３）を履いて、前記絡合テープ（２）に前記対応絡合テープ（４）を絡着して膝サポーターを不動に装置することを特徴とする膝サポーター装置。
【手続補正２】
【補正対象書類名】明細書
【補正対象項目名】０００６
【補正方法】変更
【補正の内容】
【０００６】
また、登実第３０５１４５４号公報記載の膝サポーター付きパンティストッキングは、足首丈まで形成されているので、パンツや膝下丈スカートを着用の際は、その上に重ねてストッキングを着用しなくては成らないと言う難点がある。
さらに、パンティストッキングは編む糸が細いため弱く長持ちをしないという欠点もあった。
また、特開２００２−３０５０５号公報記載の膝サポーター装置は、ズボン下の表側膝部に付けられたテープと、サポーターの上部裏側に付けられたテープを重ね合わせる時にその都度、確認することや、着用後も両方の位置が合っているかどうか等、確認する煩わしさや、ずれる心配もあり、いちいち気を使う面倒がある。また、ズボン下とサポーターは、テープを付けなければ一体化しない事や、さらに、サポーターの下に、ズボン下を着用している為に、重ね合わせる部分が、ごろごろして履き難い不快感もある。また肌との感触もすっきりしない。
さらに、ズボン下の厚さによっても、サポーターのサイズをいちいち変える必要もあった。
【手続補正３】
【補正対象書類名】明細書
【補正対象項目名】０００８
【補正方法】変更
【補正の内容】
【０００８】
上記目的を解決するために本発明は、ソフト素材からなるガードルの端部に、膝関節部を覆うサポーターを接続して、一体的に形成した事を特徴とするサポーター付きガードル。


【手続補正４】
【補正対象書類名】明細書
【補正対象項目名】０００９
【補正方法】変更
【補正の内容】
【０００９】
また、ソフト素材からなるガードルの膝関節部を覆う部分にサポーターを重ねて一体的に形成したことを特徴とするサポーター付きガードル。
【手続補正書】
【提出日】平成15年11月18日(2003.11.18)
【手続補正１】
【補正対象書類名】明細書
【補正対象項目名】特許請求の範囲
【補正方法】変更
【補正の内容】
【特許請求の範囲】
【請求項１】
アクリロニトリルブタジエンゴムとカルボキシル変性ポリオレフィンとを有することを特徴とするゴム材料組成物。
【請求項２】
転動装置に備えられる密封装置の材料であることを特徴とする請求項１に記載のゴム材料組成物。
【手続補正書】
【提出日】平成15年10月30日(2003.10.30)
【手続補正１】
【補正対象項目名】手続補正１
【補正方法】変更
【補正の内容】
【手続補正１】
【補正対象書類名】明細書
【補正対象項目名】発明の詳細な説明
【補正方法】変更
【補正の内容】
【発明の詳細な説明】
【００１】
［産業上の利用分野］
豊富な自然エネルギーで発電した電力で、燃料電池用の燃料を製造する。また、夜間余剰電力の蓄積や燃料電池車両のエンジンブレーキ動力を燃料に転換できる。
【００２】
［従来の技術］
電力会社の夜間余剰電力のような大量の電力の貯蔵には、揚水発電が一般的な電力貯蔵設備である。しかし、大規模の土木事業が必要で、環境破壊を伴いがちである。風力や太陽光、潮流や波力などの自然エネルギー発電を蓄えるには、規模が大き過ぎる欠点があった。
【００３】
［発明が解決しようとする課題］
電力を水素エネルギーに転換して、燃料電池の燃料として蓄える装置を開発することが課題である。
【００４】
［課題を解決するための手段］
発電機１は導線２により燃料電池兼用の電解装置３に繋がっている。電解装置３で発生した水素はパイプ４によりコンプレッサー５に導かれ、コンプレッサー５により、電磁バルブ６を通して改室装置７に圧入される。
【００５】
［作用］
加熱したナフタレンに還元ニッケルの存在下で水素を圧入するとテトラリンを経てデカリンとなる。デカリンは融点マイナスｌ２５度Ｃ、沸点１８９度Ｃの液体である。２００度以下で水素ガスを発生するので、燃料電池の燃料として利用できる。
【００６】
［発明の効果］
大規模の土木事業を営まずに電力を貯蔵できるほか、安定電源として利用できなかったクリーンな自然エネルギーで燃料を製造できるため、日本のエネルギー自給率の向上に役立つ。ガソリンや天然ガスよりも低温で水素ガスを発生できるため、燃料電池自動車の改質装置の小型化が可能となる。エンジンブレーキによる蓄電との相乗効果で、燃料電池自動車の積載燃料当たり走行距離を伸ばして燃料費を大幅に削減できる。
［課題を解決するための手段］
発電機１は導線２により燃料電池兼用の電解装置３に繋がっている。装置３で発生した水素はパイプ４によりコンプレッサー５に導かれ、コンプレッサー５により、電磁バルブ６を通して改質装置７に圧入される。




【手続補正２】
【補正対象項目名】手続補正２
【補正方法】追加
【補正の内容】
【手続補正２】
【補正対象書類名】明細書
【補正対象項目名】図面の簡単な説明
【補正方法】変更
【補正の内容】
【図面の簡単な説明】
【図１】本発明の系統図である。
【符合の説明】
１は発電機
２は導線
３は燃料電池兼用電解装置
４はパイプ
５はコンプレッサー
６は電磁バルブ
７は改質室装置
【手続補正書】
【提出日】平成15年6月24日(2003.6.24)
【手続補正１】
【補正対象書類名】明細書
【補正対象項目名】発明の名称
【補正方法】変更
【補正の内容】
【発明の名称】映像装置
【手続補正２】
【補正対象書類名】明細書
【補正対象項目名】特許請求の範囲
【補正方法】変更
【補正の内容】
【特許請求の範囲】
【請求項１】
第１、第２の外部装置と接続可能な映像装置において、当該映像装置を識別するためのＩＤ情報を記憶するメモリと制御回路とを備え、該制御回路は、外部装置が第１から第２の外部装置に切り換わった場合に、前記メモリ内の前記ＩＤ情報を外部へ送信するように制御することを特徴とする映像装置。
【請求項２】
第１及び第２の外部装置のいずれかと接続可能な映像装置において、当該映像装置を識別するためのＩＤ情報を記憶するメモリと制御回路とを備え、接続される外部装置が第１から第２の外部装置に切り換わることを示す信号が入力されると、前記制御回路は該信号に応答して、前記メモリ内のＩＤ情報を外部装置に出力するための制御動作を開始することを特徴とする映像装置。
【請求項３】
第１及び第２の外部装置のいずれかとケーブルを介して接続可能な映像装置において、当該映像装置を識別するためのＩＤ情報を記憶するメモリと、前記ケーブルが接続される端子と、該端子と接続され、前記映像装置と前記ケーブルとの接続をＯＮ／ＯＦＦするスイッチと、制御回路とを備え、接続される外部装置が第１から第２の外部装置に切り換わることを示す切換信号が入力されると、前記制御回路は該切換信号に応答して、前記スイッチをＯＮからＯＦＦにし、その後に前記メモリ内のＩＤ情報を外部装置に出力するように制御を行うことを特徴とする映像装置。
【請求項４】
外部装置と接続可能であり、該外部装置との通信が可能な映像装置において、当該映像装置を識別するためのＩＤ情報を記憶するメモリと制御回路とを備え、該制御回路は、前記映像装置と前記外部装置との接続状態が変化した場合に、外部装置との通信を初期化する処理を実行して前記メモリ内のＩＤ情報を外部装置に出力するように制御を行うことを特徴とする映像装置。
【請求項５】
前記通信の初期化処理は、外部装置を電源投入直後の状態にするための処理を含むことを特徴とする請求項４に記載の映像装置。
【手続補正書】
【提出日】平成15年8月5日(2003.8.5)
【手続補正１】
【補正対象書類名】明細書
【補正対象項目名】特許請求の範囲
【補正方法】変更
【補正の内容】
【特許請求の範囲】
【請求項１】
透明基板と、該透明基板上に所定のパターンで形成された複数色からなる着色層と、各着色層の境界部に位置する遮光層とを有し、前記着色層と前記遮光層の少なくとも１層が、濡れ性変化成分層の特定の濡れ性部位を介して前記透明基板上に形成されたものであり、前記濡れ性変化成分層は、少なくともオルガノポリシロキサンを含有するバインダーと光触媒とからなる光触媒含有層であることを特徴とするカラーフィルタ。
【請求項２】
透明基板と、該透明基板上に設けられた濡れ性変化成分層と、該濡れ性変化成分層の特定の濡れ性部位上に所定のパターンで形成された複数色からなる着色層および各着色層の境界部に位置する遮光層とを有し、前記濡れ性変化成分層は、少なくともオルガノポリシロキサンを含有するバインダーと光触媒とからなる光触媒含有層であることを特徴とするカラーフィルタ。
【請求項３】
所定のパターンで遮光層を備えた透明基板と、該遮光層を覆うように前記透明基板上に設けられた濡れ性変化成分層と、該濡れ性変化成分層の特定の濡れ性部位上に所定のパターンで形成された複数色からなる着色層とを備え、各着色層の境界部に前記遮光層が位置し、前記濡れ性変化成分層は、少なくともオルガノポリシロキサンを含有するバインダーと光触媒とからなる光触媒含有層であることを特徴とするカラーフィルタ。
【請求項４】
前記各着色層の境界部に位置する前記遮光層の幅より、各着色層間の幅の方が狭く形成されていることを特徴とする請求項３に記載のカラーフィルタ。
【請求項５】
所定のパターンで遮光層を備えた透明基板と、該遮光層を覆うように前記透明基板上に、濡れ性変化成分層と該濡れ性変化成分層の特定の濡れ性部位上に所定のパターンで形成された着色層との積層体を所望の色数分積層して備え、各着色層の境界部に前記遮光層が位置し、前記濡れ性変化成分層は、少なくともオルガノポリシロキサンを含有するバインダーと光触媒とからなる光触媒含有層であることを特徴とするカラーフィルタ。
【請求項６】
透明基板と、該透明基板上に設けられた濡れ性変化成分層と、該濡れ性変化成分層の特定の濡れ性部位上に所定のパターンで形成された遮光層と、該遮光層を覆うように前記濡れ性変化成分層上に、濡れ性変化成分層と該濡れ性変化成分層の特定の濡れ性部位上に所定のパターンで形成された着色層との積層体を所望の色数分積層して備え、各着色層の境界部に前記遮光層が位置し、前記濡れ性変化成分層は、少なくともオルガノポリシロキサンを含有するバインダーと光触媒とからなる光触媒含有層であることを特徴とするカラーフィルタ。
【請求項７】
前記特定の濡れ性部位は高親水性部位であることを特徴とする請求項１から請求項６までのいずれかの請求項に記載のカラーフィルタ。
【請求項８】
前記高親水性部位とは、水との接触角が１０°以下であることを特徴とする請求項７に記載のカラーフィルタ。
【請求項９】
前記オルガノポリシロキサンは、フルオロアルキル基を含有することを特徴とする請求項１から請求項８までのいずれかの請求項に記載のカラーフィルタ。
【請求項１０】
前記オルガノポリシロキサンは、クロロまたはアルコキシシランを含む組成物から得られるオルガノポリシロキサンであることを特徴とする請求項１から請求項９までのいずれかの請求項に記載のカラーフィルタ。
【請求項１１】
前記オルガノポリシロキサンは、反応性シリコーンを含む組成物から得られるオルガノポリシロキサンであることを特徴とする請求項１から請求項９までのいずれかの請求項に記載のカラーフィルタ。
【請求項１２】
前記遮光層が、遮光性粒子を含有させた樹脂層であることを特徴とする請求項１から請求項１１までのいずれかの請求項に記載のカラーフィルタ。
【請求項１３】
前記着色層が、感光性樹脂組成物により形成されていることを特徴とする請求項１から請求項１２までのいずれかの請求項に記載のカラーフィルタ。
【請求項１４】
前記着色層が、熱硬化性樹脂組成物により形成されていることを特徴とする請求項１から請求項１２までのいずれかの請求項に記載のカラーフィルタ。
【請求項１５】
請求項１から請求項１４までのいずれかの請求項に記載のカラーフィルタを有することを特徴とするカラー液晶表示装置。
【手続補正書】
【提出日】平成15年11月10日(2003.11.10)
【手続補正１】
【補正対象書類名】明細書
【補正対象項目名】特許請求の範囲
【補正方法】変更
【補正の内容】
【特許請求の範囲】
【請求項１】
複数ディスクプレーヤに情報ディスクを装着脱するためのディスク装着脱装置であって、
ディスクを装着するために使用者により開けられ、前記ディスクプレーヤが装着されたディスクを再生するための準備のために閉じられる装着引き出しと；
モータ駆動される回転アーム部材と；
前記回転アーム部材に接続されたピン部材と；
前記装着引き出しに取り付けられ、前記ピン部材を摺動可能に受容するピン部材案内スロットとを有し、
前記ピン部材案内スロットは前記ピン部材と前記ピン部材案内スロットの境界との間の相互作用を提供するような態様で輪郭形成され、前記輪郭は前記回転アーム部材が回転されたときに前記装着引き出しを開閉するように選定され、前記輪郭は各々が湾曲した中間領域の一端側にある二つの端部領域を有し、前記端部領域は開閉位置の間の引き出しの移動を提供し、前記中間領域は引き出しの停止及び所定の開いた装着引き出し位置と所定の閉じた装着引き出し位置とに前記引き出しを固定するための固定状態を提供し、
前記ディスク装着脱装置は、
装着されたディスクを上下するための旋回可能に取り付けられたピックアップブラケットと；
前記ピックアップブラケットの非旋回端部に接続されると共に前記回転アーム部材に機能的に接続された回転可能な固定インデックスとを更に有し、
前記固定インデックスの第１の方向への回転は前記ピックアップブラケットの前記非旋回端部を上昇させ、前記固定インデックスの第２の方向への回転は前記ピックアップブラケットの前記非旋回端部を下降させる
ことを特徴とするディスク装着脱装置。
【請求項２】
請求項１記載のディスク装着脱装置であって、
前記ピン部材案内スロットの中心線は前記装着引き出しの移動軸に対して実質的に垂直であることを特徴とするディスク装着脱装置。
【請求項３】
請求項１記載のディスク装着脱装置であって、
前記固定インデックスはその周囲に取り付けられた案内溝よりなり、前記ピックアップブラケットの前記非旋回端部は前記案内溝に挿入される案内ピンよりなり、前記案内溝と前記案内ピンとの相互作用は前記固定インデックスの回転と共に前記ピックアップブラケットの非旋回端部を上昇及び下降させることを特徴とするディスク装着脱装置。
【請求項４】
請求項３記載のディスク装着脱装置であって、
少なくとも一方向における前記固定インデックスの回転量を制限する少なくとも一つの固定インデックス回転リミッタを更に有することを特徴とするディスク装着脱装置。
【請求項５】
請求項４記載のディスク装着脱装置であって、
前記回転リミッタは前記固定インデックスの両方向における回転量を制限することを特徴とするディスク装着脱装置。
【手続補正書】
【提出日】平成15年10月7日(2003.10.7)
【手続補正１】
【補正対象書類名】明細書
【補正対象項目名】特許請求の範囲
【補正方法】変更
【補正の内容】
【特許請求の範囲】
【請求項１】
光変調オーバーライト可能な光磁気記録媒体において、以下を含み；
情報ビットを蓄積するメモリ層；
前記メモリ層より高いキュリー温度Ｔ２を有し、前記情報ビットの書き込みが可能な書き込み層；
前記書き込み層のキュリー温度Ｔ２より低く、室温より高いキュリー温度Ｔ３を有するスイッチング層；
前記書き込み層より高いキュリー温度Ｔ４を有すると共に磁化が一方向に配向している初期化層；
前記初期化層と隣接して配置され、前記書き込み層より大きな飽和磁化と前記書き込み層のキュリー温度Ｔ４と略同等以下のキュリー温度Ｔ５を有するバイアス層；
かつ、前記各層は希土類−遷移金属元素から構成されていることを特徴とする光磁気記録媒体。
【請求項２】
前記バイアス層の室温における飽和磁化の大きさが３５０ｅｍｕ／ｃｃ以上であることを特徴とする請求項１記載の光磁気記録媒体。
【請求項３】
前記バイアス層のキュリー温度Ｔ５が（Ｔ２ー９０）〜（Ｔ２＋５）℃の範囲であることを特徴とする請求項１記載の光磁気記録媒体。
【請求項４】
前記バイアス層が、前記初期化層と前記スイッチング層間に配置されていることを特徴とする請求項１記載の光磁気記録媒体。
【請求項５】
前記バイアス層が、前記初期化層の前記スイッチング層が隣接する側と逆サイドに隣接して配置されていることを特徴とする請求項１記載の光磁気記録媒体。
【請求項６】
請求項１乃至５の何れかに記載の光記録媒体を使用することを特徴とする情報記録再生装置。
【請求項７】
請求項１乃至５の何れかに記載の光記録媒体を使用することを特徴とする情報記録再生方法。
【手続補正２】
【補正対象書類名】明細書
【補正対象項目名】００１７
【補正方法】変更
【補正の内容】
【００１７】
（１）  光変調オーバーライト可能な光磁気記録媒体において、以下を含み；
情報ビットを蓄積するメモリ層；
前記メモリ層より高いキュリー温度Ｔ２を有し、前記情報ビットの書き込みが可能な書き込み層；
前記書き込み層のキュリー温度Ｔ２より低く、室温より高いキュリー温度Ｔ３を有するスイッチング層；
前記書き込み層より高いキュリー温度Ｔ４を有すると共に磁化が一方向に配向している初期化層；
前記初期化層と隣接して配置され、前記書き込み層より大きな飽和磁化と前記書き込み層のキュリー温度Ｔ４と略同等以下のキュリー温度Ｔ５を有するバイアス層；
かつ、前記各層は希土類−遷移金属元素から構成されていることを特徴とする光磁気記録媒体。
【手続補正３】
【補正対象書類名】明細書
【補正対象項目名】００１８
【補正方法】変更
【補正の内容】
【００１８】
（２）  前記バイアス層の室温における飽和磁化の大きさが３５０ｅｍｕ／ｃｃ以上であることを特徴とする（１）記載の光磁気記録媒体。


【手続補正４】
【補正対象書類名】明細書
【補正対象項目名】００１９
【補正方法】変更
【補正の内容】
【００１９】
（３）前記バイアス層のキュリー温度Ｔ５が（Ｔ２−９０）〜（Ｔ２＋５）℃の範囲であることを特徴とする（１）記載の光磁気記録媒体。


【手続補正５】
【補正対象書類名】明細書
【補正対象項目名】００２０
【補正方法】変更
【補正の内容】
【００２０】
（４）  前記バイアス層が、前記初期化層と前記スイッチング層間に配置されていることを特徴とする（１）記載の光磁気記録媒体。


【手続補正６】
【補正対象書類名】明細書
【補正対象項目名】００２１
【補正方法】変更
【補正の内容】
【００２１】
（５）  前記バイアス層が、前記初期化層の前記スイッチング層が隣接する側と逆サイドに隣接して配置されていることを特徴とする（１）記載の光磁気記録媒体。


【手続補正７】
【補正対象書類名】明細書
【補正対象項目名】００２２
【補正方法】変更
【補正の内容】
【００２２】
（６） （１）乃至（５）の何れかに記載の光記録媒体を使用することを特徴とする情報記録再生装置。


【手続補正８】
【補正対象書類名】明細書
【補正対象項目名】００２３
【補正方法】変更
【補正の内容】
【００２３】
（７） （１）乃至（５）の何れかに記載の光記録媒体を使用することを特徴とする情報記録再生方法。
詳しくは後述の実施例にて説明する。